(57)【要約】【課題】  机などの上に置くときの向きにかかわらず、光や音が出力されていることを利用者に確実に認識させることができる移動体通信端末を提供する。【解決手段】  移動体通信端末（携帯電話機）１０は、互いに交差する複数の外壁面から光又は音を出力可能な発光部１６等からなる出力手段と、移動体通信端末１０の姿勢を検知する姿勢検知手段（センサー部）２２と、上記出力手段における光又は音の出力指令があった場合に、姿勢検知手段２２の検知結果に基づいて複数の外壁面から選択された外壁面から出力するように上記出力手段を制御する制御手段（制御部）１３とを備える。【選択図】  図１
2008035429.tif 000002
【特許請求の範囲】
【請求項１】
通信ネットワークを介して通信可能な移動体通信端末であって、
該移動体通信端末の互いに交差する複数の外壁面から光又は音を出力可能な出力手段と、
該移動体通信端末の姿勢を検知する姿勢検知手段と、
該出力手段における光又は音の出力指令があった場合に、該姿勢検知手段の検知結果に基づいて該複数の外壁面から選択された外壁面から出力するように該出力手段を制御する制御手段とを備えたことを特徴とする移動体通信端末。
【請求項２】
請求項１の移動体通信端末において、
上記姿勢検知手段は、該移動体通信端末に作用している重力の方向を検知するものであり、
上記制御手段は、該姿勢検知手段の検知結果に基づいて、重力の方向とは反対側に位置する上向きの外壁面又は該上向きの外壁面に隣接する側方の外壁面から出力するように制御することを特徴とする移動体通信端末。
【請求項３】
請求項１又は２の移動体通信端末において、
上記出力手段は、該移動体通信端末における外向きの面の全体を構成する複数の外壁面のそれぞれから出力可能に構成されていることを特徴とする移動体通信端末。
【請求項４】
請求項１、２又は３の移動体通信端末において、
上記出力手段は、利用者に通知する光を発する複数の発光素子がそれぞれ上記互いに異なる外壁面に設けられていることを特徴とする移動体通信端末。
【請求項５】
請求項１、２又は３の移動体通信端末において、
上記出力手段は、音声及び音楽を出力可能な複数のスピーカがそれぞれ上記互いに異なる外壁面に設けられていることを特徴とする移動体通信端末。
【請求項６】
請求項１、２又は３の移動体通信端末において、
上記出力手段は、画像を表示する複数の表示部がそれぞれ上記互いに異なる外壁面に設けられていることを特徴とする移動体通信端末。
【発明の詳細な説明】
【技術分野】
【０００１】
本発明は、通信ネットワークを介して通信可能な携帯電話機等の移動体通信端末に関するものである。
【背景技術】
【０００２】
従来、携帯電話機等の移動体通信端末において音声電話やメールの着信を利用者に知らせる着信通知の媒体としては、光や音が一般的に用いられていた。例えば、音声電話やメールの着信があったときに、ＬＥＤなどを発光させたり、予め設定した楽曲や合成音を出力したり、ディスプレイ上に着信通知画像を表示したりしていた。
【発明の開示】
【発明が解決しようとする課題】
【０００３】
しかしながら、移動体通信端末を机などに置いている状況によっては、上記光や音による着信通知を確実に行うことができない場合があった。例えば、移動体通信端末のＬＥＤ発光部やディスプレイがある外壁面が下側になるように移動体通信端末を置いてしまうと、ＬＥＤ発光部からの光やディスプレイに表示されている画像が利用者に見えなくなるため、着信を利用者に知らせることができない。また、移動体通信端末のスピーカがある外壁面が下側になるように移動体通信端末を置いてしまうと、スピーカからの音が利用者に聞こえにくくなるため、着信を利用者に確実に知らせることができない。
【０００４】
なお、同様な問題は、上記光や音で着信通知を行う場合に限らず、例えば光や音でアラームを出力する場合にも発生し得る。
【０００５】
本発明は以上の問題点に鑑みなされたものであり、その目的は、机などの上に置くときの向きにかかわらず、光や音が出力されていることを利用者に確実に認識させることができる移動体通信端末を提供することである。
【課題を解決するための手段】
【０００６】
上記目的を達成するために、請求項１の発明は、通信ネットワークを介して通信可能な移動体通信端末であって、該移動体通信端末の互いに交差する複数の外壁面から光又は音を出力可能な出力手段と、該移動体通信端末の姿勢を検知する姿勢検知手段と、該出力手段における光又は音の出力指令があった場合に、該姿勢検知手段の検知結果に基づいて該複数の外壁面から選択された外壁面から出力するように該出力手段を制御する制御手段とを備えたことを特徴とするものである。
この移動体通信端末では、出力手段における光又は音の出力指令があった場合に、姿勢検知手段の検知結果に基づいて、光又は音を出力可能な複数の外壁面の中から、光又は音の出力に適する外壁面を選択することができる。このように選択された外壁面から光又は音を出力することにより、机などの上に置くときの向きにかかわらず、出力されていることを利用者が確実に認識可能な外壁面から、光又は音を出力することができる。
【０００７】
また、請求項２の発明は、請求項１の移動体通信端末において、上記姿勢検知手段は、該移動体通信端末に作用している重力の方向を検知するものであり、上記制御手段は、該姿勢検知手段の検知結果に基づいて、重力の方向とは反対側に位置する上向きの外壁面又は該上向きの外壁面に隣接する側方の外壁面から出力するように制御することを特徴とするものである。
この移動体通信端末では、重力の方向とは反対側に位置する上向きの外壁面、又はその上向きの外壁面に隣接する側方の外壁面から上記光などを出力する。このような上向きの外壁面や側方の外壁面は、下向きの外壁面に比して、上記光などの出力を遮る障害物が存在する確率が低いため、利用者がより確実に認識できるように上記光などを出力することができる。
【０００８】
また、請求項３の発明は、請求項１又は２の移動体通信端末において、上記出力手段は、該移動体通信端末における外向きの面の全体を構成する複数の外壁面のそれぞれから出力可能に構成されていることを特徴とするものである。
この移動体通信端末では、その傾きにかかわらず、上記光などを出力可能な外壁面が、光などの出力を遮る障害物が存在する確率が低い上方や側方に位置することになる。従って、移動体通信端末の設置の向きにかかわらず、利用者がより確実に認識できるように上記光などを出力することができる。
【０００９】
ここで、移動体通信端末における外向きの面の全体で形成される形状が直方体のような形状をしている場合は、外向きの面の全体が６つの外壁面で構成されるため、これらの６つの外壁面のそれぞれから上記光などを出力可能に構成するのが好ましい。また、折畳み方式やスウィーベル方式の移動体通信端末のように外向きの外壁面が変わるような場合は、机等の上に設置したりするときに外向きになる複数の外壁面それぞれから上記光などを出力可能に構成する。また、外向きになる可能性がある複数の外壁面のすべてから上記光などを出力可能に構成してもよい。
【００１０】
また、請求項４の発明は、請求項１、２又は３の移動体通信端末において、上記出力手段は、利用者に通知する光を発する複数の発光素子がそれぞれ上記互いに異なる外壁面に設けられていることを特徴とするものである。
この移動体通信端末では、机などの上に置くときの向きにかかわらず、出力されていることを利用者が確実に認識可能な外壁面にある発光素子から光を出力することができる。
【００１１】
また、請求項５の発明は、請求項１、２又は３の移動体通信端末において、上記出力手段は、音声及び音楽を出力可能な複数のスピーカがそれぞれ上記互いに異なる外壁面に設けられていることを特徴とするものである。
この移動体通信端末では、机などの上に置くときの向きにかかわらず、出力されていることを利用者が確実に認識可能な外壁面にあるスピーカから音声及び音楽を出力することができる。
【００１２】
また、請求項６の発明は、請求項１、２又は３の移動体通信端末において、上記出力手段は、画像を表示する複数の表示部がそれぞれ上記互いに異なる外壁面に設けられていることを特徴とするものである。
この移動体通信端末では、机などの上に置くときの向きにかかわらず、出力されていることを利用者が確実に認識可能な外壁面にある表示部に画像を表示することができる。
【００１３】
なお、上記出力手段における光又は音の出力指令には、着信通知のための出力指令のほか、アラーム通知のための出力指令が含まれる。また、上記着信通知における「着信」には、音声電話の着信やメールの着信のほか、情報提供サーバ等から自動受信した各種情報の着信が含まれる。
また、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機等の通話機能を有する電話機が挙げられる。また、この「移動体通信端末」としては、上記電話機のほか、通話機能を有するＰＤＡ（Personal Digital Assistance）等の通信端末も挙げられる。
【発明の効果】
【００１４】
本発明によれば、移動体通信端末を机などの上に置くときの向きにかかわらず、光や音が出力されていることを利用者に確実に認識させることができるという効果がある。
【発明を実施するための最良の形態】
【００１５】
以下、本発明を移動体通信端末としての携帯電話機に適用した実施形態について説明する。
図１は本発明の実施形態に係る携帯電話機１０の一構成例を模式的に示すブロック図である。図２は、その携帯電話機１０の外観図である。この携帯電話機１０は、アンテナ１１と、通信手段としての無線部１２と、制御手段としての制御部１３と、記憶手段としてのメモリ部１４とを備える。また、携帯電話機１０は、光の出力手段としての発光部１６と、音源部１７と、音の出力手段としてのスピーカ部１８と、音の入力手段としてのマイク１９と、画像の出力手段としての表示部２０と、操作手段としてのキー操作部２１とを備える。さらに、携帯電話機１０は、姿勢検知手段としてのセンサー部２２と、計時手段としてのタイマー部２３と、電池部２４とを備える。
【００１６】
アンテナ１１は、空中線として携帯電話１０の高周波の送受信を基地局に対して行う。無線部１２は、アンテナ１１で受信された高周波信号を復調したり、送信すべき音声を高周波に変調したりするなどの所定の信号処理を行い、得られた送信する信号をアンテナ１１に送る。これらのアンテナ１１及び無線部１２は、音声電話の通信のほか、他の携帯電話機とメールのやり取りを行ったり、移動体通信ネットワークである携帯電話通信網からゲートウェイサーバを介してインターネット等の外部の通信ネットワークに接続し、インターネット上での電子メールのやり取り等を行ったりするための通信も行う。また、アンテナ１１及び無線部１２は、携帯電話通信網を介して、ダウンロードサーバが提供するアプリケーションプログラムをダウンロードしたり、現在位置の位置情報を含む配信情報を受信したりするための通信も行う。
【００１７】
上記無線部１２で復調された音声信号は、音源部１７でアナログ音声信号に変換され、スピーカ部１８に送られ、音声として利用者に伝えられる。逆に、マイク部１９でアナログ電気信号に変換された音声信号は、音源部１７でデジタル信号化され、制御部１３に送られる。
【００１８】
制御部１３は、ＣＰＵ、ＲＯＭ等で構成され、各部を制御する。メモリ部１４は、ＲＡＭ、ＲＯＭ等で構成され、メモリダイヤルやファンクション機能の設定に必要な各々の機能項目を設定する設定画面、現在の携帯電話の傾き、時刻等のデータを記憶する。
【００１９】
発光部１６は、ＬＥＤ（発光ダイオード）等で構成され、メール、音声電話、その他の情報を着信したときに、その着信を利用者に通知する着信通知として光（以下「ＬＥＤ光」という。）を発するように制御される。また、携帯電話機１０がアラーム機能を有する場合、発光部１６は、予め設定した所定のアラーム時刻になったときに、その旨を利用者に知らせるＬＥＤ光を発するように制御される。本実施形態では、携帯電話機１０の６つの外壁面のそれぞれに発光部１６を備え、各発光部１６におけるＬＥＤ光の出力を独立に制御できるように構成されている。
【００２０】
スピーカ部１８は、メール、音声電話、その他の情報を着信したときに、その着信を利用者に通知する着信通知として、予め設定した合成音、メロディ音、音声などを出力するように制御される。また、携帯電話機１０がアラーム機能を有する場合、スピーカ部１８は、予め設定した所定のアラーム時刻になったときに、その旨を利用者に知らせる上記合成音等を出力するように制御される。なお、本実施形態では、１つの外壁面にしかスピーカ部１８を設けていないが、上記発光部１６と同様に、携帯電話機１０の６つの外壁面のそれぞれにスピーカ部１８を備え、各スピーカ部１８における音の出力を独立に制御できるように構成してもよい。
【００２１】
表示部２０は、液晶等を用いた表示パネルであり、制御部１３の制御によって設定画面等の表示をする。また、表示部２０は、携帯電話通信網を介して受信したメールやＷｅｂページを表示するように制御される。また、表示部２０は、音声電話、メール、その他の情報を着信したことを知らせるための着信通知画像を表示するように制御される。また、携帯電話機１０がアラーム機能を有する場合、表示部２０は、予め設定した所定のアラーム時刻になったときに、その旨を利用者に知らせるアラーム通知画像を表示するように制御される。なお、本実施形態では、１つの外壁面にしか表示部２０を設けていないが、上記発光部１６と同様に、携帯電話機１０の６つの外壁面のそれぞれに表示部２０を備え、各表示部２０における画像の表示出力を独立に制御できるように構成してもよい。
【００２２】
キー操作部２１は、データ入力キー（テンキー、＊キー、＃キー）２１１、通話開始キー２１２、終話キー２１３、スクロールキー２１４、多機能キー２１５等の複数のキーから構成されている。このキー操作部２１は、利用者が通話相手先の電話番号を入力したり、通話の開始や終了を指示したりするときに操作される。また、キー操作部２１は、利用者がメールの文字データを入力したり、メール送信を指示したり、各種メニュー画面上で特定のメニューを選択したりするときに操作される。また、キー操作部２１のキー操作に応じて制御部１３でメモリ部１４からデータ等を読み出し、表示部２０上に表示する。
【００２３】
タイマー部２３は制御部１３に対して時計情報を提供し、電池部２４は各部に電源を供給する。その他、バイブ等の振動部を備えていてもよい。
【００２４】
図３は、携帯電話機１０の発光部１６からのＬＥＤ光を出力可能な外壁面及びそのＬＥＤ光の出力方向の一例を模式的に示した斜視図である。本実施形態の携帯電話機１０では、携帯電話機がどのような姿勢をとったとしても利用者が発光部１６からのＬＥＤ光を認識しやすい上方や側方等の最適な方向にＬＥＤ光を出力できるように、６つの外壁面１０Ａ〜１０Ｆそれぞれから外側に向かう方向（図中のＡ〜Ｆの方向）にＬＥＤ光を出力可能に構成されている。
【００２５】
図４は、携帯電話機１０上に定義される座標Ｘ，Ｙ，Ｚと、センサー部２２で検知される加速度αＸ，αＹ，αＺの方向とを示す説明図である。センサー部２２は、互いに直交する座標Ｘ，Ｙ，Ｚに沿った方向に生じる携帯電話機１０の加速度を検知することにより、携帯電話機１０に作用している重力の方向を検知することができる。各座標Ｘ，Ｙ，Ｚは携帯電話機１０の筺体に固定して定義されている。図４の例では、Ｘ軸は、携帯電話機１０の幅方向（短手方向）に沿って定義され、図中の右方向がプラス方向である。Ｙ軸は、携帯電話機１０の長さ方向（長手方向）に沿って定義され、図中の左下方向がプラス方向である。また、Ｚ座標は、携帯電話機１０の厚さ方向に沿って定義され、図中の上方向がプラス方向である。携帯電話機上のＸ軸と重力方向Ｇとの間の角度θＸ（Ｙ軸を中心にした回転角度）のプラス方向は、Ｘ軸を基準にし、Ｙ軸のプラス側から原点方向を見たときの時計方向である。また、携帯電話機上のＹ軸と重力方向Ｇとの間の角度θＹ（Ｘ軸を中心にした回転角度）のプラス方向は、Ｙ軸を基準にし、Ｘ軸のプラス側から原点方向を見たときの反時計方向である。
【００２６】
上記センサー部２２は、キー操作部２１が設けられたおもて面１０Ａに対して平行な面内で互いに直交する２方向（Ｘ軸方向及びＹ軸方向）それぞれに沿った加速度αX，αYと、Ｘ軸及びＹ軸と直交するＺ軸方向に沿った加速度αＺとを検出する３軸の加速度センサーを有している。この加速度センサーは、携帯電話機２０の内部に設けられた図示しない回路基板上に実装されており、上記加速度αＸ，αＹ，αＺを検出できる公知のものを用いることができる。また、センサー部２２は、３軸の加速度センサーとともに、携帯電話機１０の姿勢をより精度よく検知できるように地磁気センサー等の他のセンサーを補助的に備えてよい。
【００２７】
図５（ａ）〜（ｃ）は、携帯電話機１０の傾きとＬＥＤ光の出力方向との関係の一例を模式的に示す説明図である。
図５（ａ）は、キー操作部２１が設けられたおもて面１０Ａ（図３参照）が重力と直交する水平方向に平行な場合を示している。この場合、センサー部２２はＺ軸方向の加速度αＺの出力値として、−１ｇ（ｇ：重力加速度）に対応する値を出力する。そして、おもて面１０Ａから外側に向かう上方を向いたＡの方向にＬＥＤ光が出力される。
また、図５（ｂ）は、側面１０Ｅ側（図３参照）が上側になるように携帯電話機が多少傾いた場合を示している。この場合、センサー部２２は、Ｚ軸方向の加速度αＺの出力値として、−１ｇと−（ｓｉｎ４５°×ｇ）との間の範囲内の加速度に対応する値を出力し、Ｘ軸方向の加速度αＸの出力値として、０ｇと（ｓｉｎ４５°×ｇ）との間の範囲内の加速度に対応する値を出力する。そして、上方を向いた方向から多少傾いているが、おもて面１０Ａから外側に向かうＡの方向に、ＬＥＤ光が出力される。
また、図５（ｃ）は、側面１０Ｅ側が上側になるように携帯電話機が更に傾いた場合を示している。この場合、センサー部２２は、Ｚ軸方向の加速度αＺの出力値として、０ｇと−（ｓｉｎ４５°×ｇ）との間の範囲内の加速度に対応する値を出力し、Ｘ軸方向の加速度αＸの出力値として、１ｇと（ｓｉｎ４５°×ｇ）との間の範囲内の加速度に対応する値を出力する。そして、上方を向いた方向から多少傾いているが、側面１０Ｅから外側に向かうＥ方向に、ＬＥＤ光が出力される。
【００２８】
以上のように、図５（ａ）〜（ｃ）の例の場合は、携帯電話機１０のおもて面の傾き角度の閾値として４５°が設定され、この閾値を境にしてＬＥＤ光の出力方向が切り換わる。なお、上記傾き角度の閾値は４５°に限定されるものではない。例えば、上記傾き角度の閾値として３０°及び６０°を設定してよい。また、この場合、上記傾き角度が３０°〜６０°の範囲では、Ａ及びＥの両方向にＬＥＤ光を出力するようにしてもよい。
【００２９】
図６は、携帯電話機１０が更にいろいろな向きに傾いたときに検知される加速度αＸ，αＹの値とＬＥＤ光の出力方向Ａ〜Ｆとの関係の一例を模式的に示す説明図である。図６中のハッチングを付した領域は、携帯電話機１０のおもて面１０Ａ又は裏面１０Ｆ（図３参照）が水平面に平行な場合又は水平面から４５°の範囲内で傾いている場合を示している。この場合、Ｘ軸方向及びＹ軸方向それぞれの加速度の値にかかわらず、おもて面１０Ａから外向きのＡ方向、又は裏面１０Ｆから外向きのＦ方向に、ＬＥＤ光が出力される。
【００３０】
一方、携帯電話機１０のおもて面１０Ａ又は裏面１０Ｆが水平面から４５°〜９０°の範囲内で傾いている場合は、更に、Ｘ軸方向及びＹ軸方向それぞれの加速度αＸ，αＹの値に応じてＬＥＤ光の出力方向が切り換えられる。具体的には、図６のハッチング領域の周囲に位置する円環状の白抜き領域に示すように、加速度αＸ，αＹの値に応じて、ＬＥＤ光の出力方向がＢ方向，Ｃ方向，Ｄ方向及びＥ方向の間で切り換えられる。加速度αＸ，αＹの値の取り得る範囲は、−１ｇ〜−（ｓｉｎ４５°×ｇ）の範囲、及び（ｓｉｎ４５°×ｇ）〜１ｇの範囲である。
【００３１】
表１は、上記ＬＥＤ光の出力方向Ａ〜Ｆと、その切り換えの判定に用いるセンサー部２２の検知値の条件との間の関係をまとめた一覧表である。なお、表１の例では、上記傾き角度の閾値が４５°の場合について示しているが、前述のように上記傾き角度の閾値は４５°に限定されるものではない。例えば、上記傾き角度の閾値として３０°及び６０°を設定してよい。また、表２のように、重力の方向又はその方向に一番近い方向からＬＥＤ光を出力せずに、他の５面の全て又は一部から外向きの方向からＬＥＤ光を出力するようにしてもよい。
【００３２】
【表１】
2008035429.tif 000003
【００３３】
【表２】
2008035429.tif 000004
【００３４】
図７は、上記表１に示す条件に基づいて携帯電話機の傾きを確認してＬＥＤ光の出力方向Ａ〜Ｆを選択する処理の一例を示すフローチャートである。この例において、センサー部２２は、携帯電話機１０に作用している重力加速度に対応した３軸方向の加速度αＸ，αＹ，αＺを検知する（Ｓ１１）。次に、制御部１３は、センサー部２２で検知されて出力される加速度αＸ，αＹ，αＺの出力値に基づいて、次のようにＬＥＤ光の出力方向Ａ〜Ｆを選択する。まず、制御部１３は、Ｚ軸方向の加速度αＺの出力値が、−ｇ＜αＺ＜−（ｓｉｎ４５°×ｇ）で規定される範囲Ｒ１にあるか否かを判断する（Ｓ１２）。ここで、「ｇ」は重力加速度である。加速度αＺの出力値が上記所定の範囲Ｒ１にある場合（Ｓ１２でＹｅｓ）は、携帯電話機１０の表示部２０が設けられている面１０Ａが上方を向いた通常の姿勢であると判断され、ＬＥＤ光の出力方向としてＡ方向（表方向）が選択される（Ｓ１３）。上記Ｓ１２でＮｏの場合、制御部１３は更に、加速度αＺの出力値が、（ｓｉｎ４５°×ｇ）＜αＺ＜１ｇで規定される範囲Ｒ２にあるか否かを判断する（Ｓ１４）。ここで、加速度αＺの出力値が上記所定の範囲Ｒ２にある場合（Ｓ１４でＹｅｓ）は、携帯電話機１０の面１０Ａが下方を向いた裏返しの姿勢であると判断され、ＬＥＤ光の出力方向としてＦ方向（裏方向）が選択される（Ｓ１５）。
【００３５】
上記Ｓ１４でＮｏの場合、制御部１３は、携帯電話機１０が斜めに傾いていると判断し、加速度αＸ，αＹの出力値に基づいてＬＥＤ光の出力方向を選択する。具体的には、図７に例示するように、制御部１３は、加速度αＸ，αＹの出力値が｜αＸ｜≧｜αＹ｜で規定される関係Ｒ３にあるか否かを判断する（Ｓ１６）。そして、加速度αＸ，αＹの出力値が上記所定の関係Ｒ３にある場合すなわち加速度αＸが加速度αＹ以上の場合（Ｓ１６でＹｅｓ）は、制御部１３は更に、加速度αＸの出力値がプラスの値か否かを判断する（Ｓ１７）。ここで、加速度αＸの出力値がプラスの場合（Ｓ１７でＹｅｓ）は、ＬＥＤ光の出力方向として側面からのＥ方向が選択され（Ｓ１８）、加速度αＸの出力値がゼロ又はマイナスの場合（Ｓ１７でＮｏ）は、ＬＥＤ光の出力方向として側面からのＢ方向が選択される（Ｓ１９）。
【００３６】
上記Ｓ１６でＮｏの場合すなわち加速度αＸが加速度αＹよりも小さい場合は、制御部１３は更に、加速度αＹの出力値がプラスの値か否かを判断する（Ｓ２０）。ここで、加速度αＹの出力値がプラスの場合（Ｓ２０でＹｅｓ）は、ＬＥＤ光の出力方向として側面からのＤ方向が選択され（Ｓ２１）、加速度αＹの出力値がゼロ又はマイナスの場合（Ｓ２０でＮｏ）は、ＬＥＤ光の出力方向として側面からのＣ方向が選択される（Ｓ２２）。
【００３７】
図８は、上記表２に示す条件に基づいて携帯電話機の傾きを確認してＬＥＤ光の出力方向Ａ〜Ｆを選択する他の処理例を示すフローチャートである。この例では、ある面について出力方向を選択する場合は、その面と隣接する４つの面についても出力方向を選択している。例えば、図８のステップＳ３２、Ｓ３３に示すように、面１０Ａから外向きの出力方向Ａを選択する場合は隣接する４つの面１０Ｂ，１０Ｃ，１０Ｄ，１０Ｅから外向きの出力方向Ｂ，Ｃ，Ｄ，Ｅも選択する。なお、センサー部２２で検知されて出力される加速度αＸ，αＹ，αＺの出力値に基づいて携帯電話機１０の傾きを確認する処理は、前述の図７の処理と同様であるので、それらの説明は省略する。
【００３８】
なお、上記図７及び８の例では、センサー部２２から出力される加速度αＸ，αＹ，αＺの出力値に基づいて携帯電話機１０の傾きを確認しているが、加速度αＸ，αＹ，αＺの出力値から携帯電話機の傾き角度を算出し、その算出した角度に基づいて携帯電話機１０の傾きを確認するようにしてもよい。
【００３９】
図９及び図１０は、携帯電話機の傾き角度の算出結果に基づいて携帯電話機１０の傾きを確認してＬＥＤ光の出力方向Ａ〜Ｆを選択する更に他の処理例を示すフローチャートである。この例において、センサー部２２は、携帯電話機１０に作用している重力加速度に対応した２軸方向の加速度αＸ，αＹを検知する（Ｓ５１）。次に、制御部１３は、センサー部２２で検知されて出力される加速度αＸ，αＹの出力値を用いて、前述の図４で示した２つの角度、すなわち重力方向ＧとＸ軸方向との間の角度θＸと、重力方向ＧとＹ軸方向との間の角度θＹとを算出する（Ｓ５２）。
【００４０】
次に、制御部１３は、これらの角度θＸ，θＹに基づいて次のようにＬＥＤ光の出力方向Ａ〜Ｆを選択する。まず、制御部１３は、角度θＹが４５°≦θＹ≦１３５°で規定される範囲Ｒ１１にあるか否かを判断する（Ｓ５３）。ここで、角度θＹが上記所定の範囲Ｒ１１にある場合（Ｓ５３でＹｅｓ）は、制御部１３は更に、角度θＸが０°≦θＹ＜４５°で規定される範囲Ｒ１２にあるか否かを判断する（Ｓ５４）。角度θＸが所定の範囲Ｒ１２にある場合（Ｓ５４でＹｅｓ）は、ＬＥＤ光の出力方向としてＥ方向が選択される（Ｓ５５）。更に、制御部１３は、角度θＸが４５°≦θＹ＜１３５°で規定される範囲Ｒ１３にあるか否かを判断し（Ｓ５６）、Ｙｅｓの場合は、ＬＥＤ光の出力方向としてＡ方向が選択される（Ｓ５７）。また、制御部１３は、角度θＸが１３５°≦θＹ＜２２５°で規定される範囲Ｒ１４にあるか否かを判断し（Ｓ５８）、Ｙｅｓの場合は、ＬＥＤ光の出力方向としてＢ方向が選択される（Ｓ５９）。また、制御部１３は、角度θＸが２２５°≦θＹ＜３１５°で規定される範囲Ｒ１５にあるか否かを判断し（Ｓ６０）、Ｙｅｓの場合は、ＬＥＤ光の出力方向としてＦ方向が選択される（Ｓ６１）。そして、角度θＸが上記範囲Ｒ１２、１３、１４及び１５のいずれにも入っていない場合（Ｓ６０でＮｏ）は、ＬＥＤ光の出力方向としてＥ方向が選択される（Ｓ６２）。
【００４１】
上記Ｓ５３でＮｏの場合、制御部１３は、図１０に示すように、角度θＹが１３５°≦θＹ＜２２５°で規定される範囲Ｒ１６にあるか否かを判断し（Ｓ７１）、Ｙｅｓの場合は、ＬＥＤ光の出力方向としてＣ方向が選択される（Ｓ７２）。また、制御部１３は、角度θＹが−４５°≦θＹ＜４５°で規定される範囲Ｒ１７にあるか否かを判断し（Ｓ７３）、Ｙｅｓの場合は、ＬＥＤ光の出力方向としてＤ方向が選択される（Ｓ７４）。そして、角度θＹが上記範囲Ｒ１６及びＲ１７のいずれにも入っていない場合（Ｓ７３でＮｏ）は、ＬＥＤ光の出力方向としてＦ方向が選択される（Ｓ７５）。
【００４２】
図１１は、上記構成の携帯電話機１０において音声電話又はメールを受信した着信時やアラーム時刻の到来時等のトリガーイベントが発生した場合に発光部１６からＬＥＤ光を発するときの動作例を示すフローチャートである。この動作例において、制御部１３は、携帯電話機１０が音声電話又はメールの着信やアラーム発生等のトリガーとなるイベントが発生したことを認識すると（Ｓ１０１）、前述の図７〜図１０で示した処理によって携帯電話機１０の傾きを確認して出力方向を選択し、発光動作する発光部１６を選択する（Ｓ１０２）。次に、制御部１３は、上記選択された発光部１６から、着信通知用に予め設定された所定のＬＥＤ光を出力するように制御する（Ｓ１０３）。これにより、音声電話やメールの着信やアラーム発生等のトリガーイベントに応じて、上記携帯電話機１０の傾きに基づいて選択された所定の外壁面からＬＥＤ光を出力することができる（Ｓ１０４）。
【００４３】
以上、本実施形態によれば、センサー部２２の検知結果に基づいて、ＬＥＤ光を出力することができる複数の外壁面の中から、着信通知に適するＬＥＤ光の出力方向を選択することができる。このように選択された方向にＬＥＤ光を出力することにより、携帯電話機１０を机などの置いたときの向きにかかわらず、出力されていることを利用者が確実に認識可能な外壁面から、着信があった旨の通知に用いるＬＥＤ光を出力することができる。よって、携帯電話機１０を机などの上に置くときの向きにかかわらず、ＬＥＤ光や音が出力されていることを利用者に確実に認識させることができる。
また、本実施形態によれば、センサー部２２の加速度αＸ，αＹ、αＺの検知結果に基づいて、重力の方向とは反対側に位置する上向きの外壁面、又はその上向きの外壁面に隣接する側方の外壁面から外側に向かう方向にＬＥＤ光を出力する。このような上向きの外壁面や側方の外壁面から外側に向かう方向は、下向きの外壁面から外側に向かう方向に比して、ＬＥＤ光の出力を遮る障害物が存在する確率が低いため、着信があった旨の通知に用いるＬＥＤ光をより確実に認識することができる。
【００４４】
図１２は、他の実施形態の携帯電話機１０において上記音声電話又はメールを受信した着信時やアラーム時刻になった時等のトリガーイベントが発生した時にスピーカ部１８から合成音等の音を出力するときの動作例を示すフローチャートである。この動作例では、携帯電話機１０の互いに異なる複数の外壁面それぞれにスピーカ部１８を備えている。そして、制御部１３は、携帯電話機１０が音声電話又はメールの着信やアラーム発生等のトリガーとなるイベントが発生したことを認識すると（Ｓ２０１）、前述の図７〜図１０で示した同様な処理によって携帯電話機１０の傾きを確認して出力方向を選択し、音出力動作するスピーカ部１８を選択する（Ｓ２０２）。次に、制御部１３は、上記選択されたスピーカ部１８から、着信通知用やアラーム通知用に予め設定された所定の合成音等を出力するように制御する（Ｓ２０３）。これにより、音声電話やメールの着信やアラーム発生等のトリガーイベントに応じて、上記携帯電話機１０の傾きに基づいて選択された所定の外壁面から所定の合成音等を出力することができる。
【００４５】
図１３は、更に他の実施形態の携帯電話機１０において姿勢変化があったときに、着信通知画像やアラーム通知画像等の画像を出力する表示部２０を選択する動作例を示すフローチャートである。この動作例では、携帯電話機１０の互いに異なる複数の外壁面それぞれに表示部２０を備えている。そして、制御部１３は、センサー部２２による検知結果に基づいて携帯電話機１０の姿勢変化があったことを認識すると（Ｓ３０１）と、前述の図７〜図１０で示した同様な処理によって携帯電話機１０の傾きを確認して出力方向を選択し、画像表示動作する表示部２０を選択する（Ｓ３０２）。次に、制御部１３は、上記選択された表示部２０から、着信通知画像やアラーム通知画像等の各種画像を出力するように制御する（Ｓ３０３）。これにより、上記携帯電話機１０の傾きに基づいて利用者が視認しやすいように選択された所定の外壁面の表示部２０に各種画像を出力することができる。
【００４６】
なお、上記表示部２０が１つ面（例えば、上記おもて面１０Ａ）にのみ備えている場合は、携帯電話機１０の傾きに応じて表示部２０をＯＮ／ＯＦＦ制御してもよい。例えば、表３に示すように、携帯電話機１０の表示部２０が上方を向いているような姿勢の場合にのみ、表示部（ディスプレイ）２０の表示をＯＮするように制御する。この場合は、利用者から見えない又は見にくい位置に表示部２０があった場合に、その表示部２０の表示をＯＦＦすることにより、無駄な電力消費を防止できる。
【表３】
2008035429.tif 000005
【００４７】
また、上記実施形態において、上記ＬＥＤ光の出力方向の選択（発光部の選択）、音の出力方向の選択（スピーカ部の選択）、及び上記画像の出力方向の選択（表示部の選択）は、任意に組み合わせて制御してもよい。
【００４８】
図１４（ａ）及び（ｂ）は、携帯電話機の姿勢変化に応じてＬＥＤ光の出力方向の選択（発光部１６の選択）と画像の出力方向の選択（表示部２０の選択）とを組み合わせて制御する場合における携帯電話機１０の外観を示す斜視図である。この例では、携帯電話機１０の各面にＬＥＤ光を出力する発光部１０Ａ，１６Ｂ，１６Ｃ，・・・１６Ｆを備えている。この携帯電話機１０において、図１４（ａ）に示すように、表示部２０が設けられているおもて面が上方を向いた通常の姿勢の場合は、表示部２０の表示がＯＮされるとともに、ＬＥＤ光を出力する発光部としては、そのおもて面にある発光部１６Ａが選択される。そして、携帯電話機１０を図中Ｒで示すように回転させ、図１４（ｂ）に示すように裏返しにすると、利用者から見えない表示部２０の表示がＯＦＦされるとともに、ＬＥＤ光を出力する発光部としては、その裏面にある発光部１６Ｆが選択される。
【００４９】
また、上記各実施形態では、携帯電話機の場合について説明したが、本発明は、ＰＨＳ、自動車電話機等の他の移動体通信端末の場合についても適用でき、同様な効果が得られるものである。
【図面の簡単な説明】
【００５０】
【図１】本発明の実施形態に係る携帯電話機の一構成例を模式的に示すブロック図。
【図２】同携帯電話機の外観図。
【図３】同携帯電話機のＬＥＤ光を出力可能な外壁面及びそのＬＥＤ光の出力方向の一例を模式的に示した斜視図。
【図４】同携帯電話機上に定義される座標Ｘ，Ｙ，Ｚとセンサー部で検知される加速度の方向とを示す説明図。
【図５】（ａ）〜（ｃ）はそれぞれ、同携帯電話機の傾きとＬＥＤ光の出力方向との関係の一例を模式的に示す説明図。
【図６】同携帯電話機が更にいろいろな向きに傾いたときに検知される加速度の値とＬＥＤ光の出力方向との関係の一例を模式的に示す説明図。
【図７】携帯電話機の傾きを確認してＬＥＤ光の出力方向Ａ〜Ｆを選択する処理の一例を示すフローチャート。
【図８】携帯電話機の傾きを確認してＬＥＤ光の出力方向Ａ〜Ｆを選択する他の処理例を示すフローチャート。
【図９】携帯電話機の傾き角度の算出結果に基づいて携帯電話機の傾きを確認してＬＥＤ光の出力方向Ａ〜Ｆを選択する更に他の処理例を示すフローチャート。
【図１０】図９の続きの処理を示すフローチャート。
【図１１】トリガーイベントが発生した場合に発光部からＬＥＤ光を発するときの動作例を示すフローチャート。
【図１２】トリガーイベントが発生した場合にスピーカ部から音を出力するときの動作例を示すフローチャート。
【図１３】携帯電話機の姿勢変化があったときに表示部を選択する動作例を示すフローチャート。
【図１４】（ａ）及び（ｂ）は、携帯電話機の姿勢変化に応じて発光部の選択と表示部の選択とを組み合わせて制御する場合における携帯電話機の外観を示す斜視図。
【符号の説明】
【００５１】
１０    携帯電話機
１３    制御部
１４    メモリ部
１６    発光部
１８    スピーカ部
２０    表示部
２２    センサー部
２３    タイマー部
【図１】
2008035429.tif 000006
【図２】
2008035429.tif 000007
【図３】
2008035429.tif 000008
【図４】
2008035429.tif 000009
【図５】
2008035429.tif 000010
【図６】
2008035429.tif 000011
【図７】
2008035429.tif 000012
【図８】
2008035429.tif 000013
【図９】
2008035429.tif 000014
【図１０】
2008035429.tif 000015
【図１１】
2008035429.tif 000016
【図１２】
2008035429.tif 000017
【図１３】
2008035429.tif 000018
【図１４】
2008035429.tif 000019